(57)【要約】【課題】簡易に設置と移動を行うことができ、ベランダやバルコニーの外部の補修作業などに柔軟に対応することが可能な仮設足場装置を提供する。【解決手段】躯体本体１ａから外側に張出し、上下に間隔をあけて配設された一対の張出躯体２ａ、２ｂ（２）の上下間に設置して、張出躯体２の張出方向Ｔ１外側での作業に使用される仮設足場装置Ａであって、一対の張出躯体２ａ、２ｂの間に設置される足場本体部１０と、足場本体部１０に繋げられ、作業者が乗って作業に使用される張出足場部１１とを備えている。そして、足場本体部１０は、上下方向Ｔ４に伸縮自在に形成され、張出足場部１１は、初期位置から回動して所定の張出位置に配設されるように、足場本体部１０に回動可能に繋げて設けられている。【選択図】図１
2010150756.tif 000002
【特許請求の範囲】
【請求項１】
躯体本体から外側に張出し、上下に間隔をあけて配設された一対の張出躯体の上下間に設置して、前記張出躯体の張出方向外側での作業に使用される仮設足場装置であって、
前記一対の張出躯体の間に設置される足場本体部と、該足場本体部に繋げられ、作業者が乗って前記作業に使用される張出足場部とを備えており、
前記足場本体部は、上下方向に伸縮自在に形成され、
前記張出足場部は、初期位置から回動して所定の張出位置に配設されるように、前記足場本体部に回動可能に繋げて設けられていることを特徴とする仮設足場装置。
【請求項２】
請求項１記載の仮設足場装置において、
前記張出足場部は、水平方向に延びる回動軸線回りに、あるいは上下方向に延びる回動軸線回りに回動するように前記足場本体部に繋げられていることを特徴とする仮設足場装置。
【請求項３】
請求項１または請求項２に記載の仮設足場装置において、
初期位置の前記張出足場部が前記足場本体部の内方に納まるように形成されていることを特徴とする仮設足場装置。
【請求項４】
請求項１から請求項３のいずれかに記載の仮設足場装置において、
前記張出足場部が初期位置から回動して所定の張出位置に配されるとともに、該張出足場部を係止する係止手段が設けられていることを特徴とする仮設足場装置。
【請求項５】
請求項１から請求項４のいずれかに記載の仮設足場装置において、
前記足場本体部に車輪が設けられて走行可能に形成されていることを特徴とする仮設足場装置。
【発明の詳細な説明】
【技術分野】
【０００１】
本発明は、例えば建物のタイル張替えや塗装の補修作業などに使用される仮設足場装置に関する。
【背景技術】
【０００２】
従来、例えばマンションなどの建物１のベランダやバルコニー２の外部（作業対象部Ｓ）に対してタイル張替えや塗装などの補修作業を行う場合には、図６から図８に示すように、建物１外側に枠組足場３を設置したり（図６）、屋上からゴンドラ４を吊るしたり（図７）、ベランダやバルコニー２から建物１外側に張出すように単管足場５を設置する（図８）などして、作業者Ｍの足場を確保するようにしている（例えば、特許文献１、特許文献２参照）。
【特許文献１】実用新案登録第２５７３９９８号公報
【特許文献２】実開平５−４０４９３号公報
【発明の開示】
【発明が解決しようとする課題】
【０００３】
しかしながら、枠組足場３や単管足場５を設置したり、ゴンドラ４を吊るして足場を確保する場合には、補修作業に対して過大な足場設備になることが多く、その組立設置作業や分解撤去作業に多大な労力、時間、ひいては多大なコストを要するという問題があった。
【０００４】
特に、ベランダやバルコニー２の外部の局部を補修するような場合に過大な足場設備になることが多く、このような局部的な補修作業にも柔軟に対応することが可能な足場設備（仮設足場装置）が強く望まれていた。
【０００５】
本発明は、上記事情に鑑み、簡易に設置と移動を行うことができ、ベランダやバルコニーの外部の補修作業などに柔軟に対応することが可能な仮設足場装置を提供することを目的とする。
【課題を解決するための手段】
【０００６】
上記の目的を達するために、この発明は以下の手段を提供している。
【０００７】
本発明の仮設足場装置は、躯体本体から外側に張出し、上下に間隔をあけて配設された一対の張出躯体の上下間に設置して、前記張出躯体の張出方向外側での作業に使用される仮設足場装置であって、前記一対の張出躯体の間に設置される足場本体部と、該足場本体部に繋げられ、作業者が乗って前記作業に使用される張出足場部とを備えており、前記足場本体部は、上下方向に伸縮自在に形成され、前記張出足場部は、初期位置から回動して所定の張出位置に配設されるように、前記足場本体部に回動可能に繋げて設けられていることを特徴とする。
【０００８】
この発明においては、下方の張出躯体上（例えば下階のベランダやバルコニー）に仮設足場装置を配置するとともに足場本体部を伸長して、足場本体部の下端側を下方の張出躯体に、上端側を上方の張出躯体（例えば上階のベランダやバルコニー）にそれぞれ圧接支持させることができ、足場本体部（仮設足場装置）を上下一対の張出躯体の間に容易に固定して設置することができる。そして、この状態で一対の張出躯体の間に配設されている初期位置の張出足場部を回動するという簡易な操作で、張出躯体の外側に張出す所定の張出位置に張出足場部を配設することが可能になる。これにより、作業者が張出躯体の外側での作業を行うための足場（張出足場部）を簡単に設けることが可能になる。
【０００９】
また、張出足場部を回動して所定の張出位置から初期位置に戻し、足場本体部を縮めて一対の張出躯体に対する圧接状態を解除することによって、仮設足場装置を容易に移動させることが可能になる。
【００１０】
また、本発明の仮設足場装置において、前記張出足場部は、水平方向に延びる回動軸線回りに、あるいは上下方向に延びる回動軸線回りに回動するように前記足場本体部に繋げられていることが望ましい。
【００１１】
この発明においては、張出足場部を上下方向あるいは水平方向に回動させることができ、確実に簡易な操作で初期位置から所定の張出位置に張出足場部を回動して作業者が張出躯体の外側での作業を行うための足場を設けることができる。また、所定の張出位置から初期位置に張出足場部を簡易な操作で戻すことができる。
【００１２】
さらに、本発明の仮設足場装置においては、初期位置の前記張出足場部が前記足場本体部の内方に納まるように形成されていることがより望ましい。
【００１３】
この発明においては、初期位置に配された状態で張出足場部が足場本体部の内方に納まるため、仮設足場装置をコンパクトにすることが可能になる。これにより、仮設足場装置の移動作業を容易に行うことが可能になる。
【００１４】
また、本発明の仮設足場装置においては、前記張出足場部が初期位置から回動して所定の張出位置に配されるとともに、該張出足場部を係止する係止手段が設けられていることがさらに望ましい。
【００１５】
この発明においては、張出足場部を初期位置から回動し、係止手段で係止されるとともにこの張出足場部を所定の張出位置に固定して設置することが可能になる。これにより、より容易に作業者が張出躯体の外側での作業を行うための足場を設けることが可能になるとともに、安定した足場を形成することが可能になる。
【００１６】
また、本発明の仮設足場装置においては、前記足場本体部に車輪が設けられて走行可能に形成されていることがさらに望ましい。
【００１７】
この発明においては、足場本体部に車輪が設けられているため、仮設足場装置の移動作業をさらに容易に行うことが可能になる。
【発明の効果】
【００１８】
本発明の仮設足場装置によれば、上下方向に伸縮自在に形成した足場本体部に張出足場部を回動可能に繋げて構成することにより、作業者が張出躯体の外側での作業を行うための足場（張出足場部）を容易に設置することが可能になる。また、張出足場部を回動して所定の張出位置から初期位置に戻し、足場本体部を縮めて一対の張出躯体に対する圧接状態を解除することによって、仮設足場装置を容易に移動させることが可能になる。そして、このように容易に設置と移動を行うことが可能になるため、例えばベランダやバルコニーの外部の補修作業などに、ベランダやバルコニーの所望の位置に順次移動と設置を繰り返して柔軟に対応することが可能になる。
【発明を実施するための最良の形態】
【００１９】
以下、図１から図５を参照し、本発明の一実施形態に係る仮設足場について説明する。本実施形態は、マンションなどの建物１のベランダやバルコニー２の外部に対してタイル張替えや塗装などの補修作業を行う際に用いる仮設足場装置Ａに関するものである。なお、本実施形態では、建物１のベランダ２の外部の補修作業に仮設足場装置Ａを使用するものとして説明を行う。
【００２０】
本実施形態の仮設足場装置Ａは、図１に示すように、建物本体（躯体本体１ａ）から外側に張出し、上下に間隔をあけて配設された上階のベランダ（上方の張出躯体２ａ（２））と下階のベランダ（下方の張出躯体２ｂ（２））の上下間に設置して、ベランダ２の張出方向Ｔ１外側での作業に使用される。本実施形態では、このように上下一対のベランダ２ａ、２ｂの上下間に設置した仮設足場装置Ａを作業者Ｍが使用して、上階のベランダ２ａの外部（作業対象部Ｓ）の補修作業が行われる。
【００２１】
そして、この仮設足場装置Ａは、上下一対のベランダ２ａ、２ｂの間に設置される足場本体部１０と、この足場本体部１０に繋げられ、作業者Ｍが乗って補修作業に使用される張出足場部１１とを備えて構成されている。
【００２２】
足場本体部１０は、図１から図３に示すように、例えばアルミニウム製の角パイプの支柱１２と水平材１３と筋交１４とを繋ぎ合わせて平面視略四角形状で枠状に形成されている。また、足場本体部１０の四隅に配設された支柱１２の上端１２ａ側と下端１２ｂ側にはそれぞれ、隣り合う支柱１２に繋げて同一水平面上に配されるように水平材１３が設けられている。さらに、図３に示すように、これら支柱１２の上端１２ａ側に設けられた４本の水平材１３のうち、足場本体部１０の水平方向の前後方向Ｔ２に配された一対の水平材１３ａ（水平方向の左右方向Ｔ３に沿って延設された一対の水平材１３）に両端を繋げて、前後方向Ｔ２に沿う水平材１３ｂ（１３）が架設されている。そして、支柱１２の上端１２ａ側に設けた水平材１３（１３ａ、１３ｂ）に支持させて足場本体部１０の例えばアルミニウム製の足場板１５が設置されている。
【００２３】
また、図２及び図３に示すように、足場本体部１０の前後方向Ｔ２に配された一対の水平材１３ａにはそれぞれ、階段１６を取り付けるための階段取付用部材１７が接続して設けられている。そして、本実施形態の仮設足場装置Ａは、階段取付用部材１７に引っ掛けて階段１６を取り付けることにより、作業者Ｍが足場本体部１０の足場板１５に対して昇降できるように形成されている。
【００２４】
さらに、図１に示すように、足場本体部１０の足場板１５よりも上方の側面には、張出足場部１１が配設される一側面を除き、支柱１２の上端１２ａ側と水平材１３に繋げて手摺り部材１８が設置されている。
【００２５】
また、図１、図２及び図４に示すように、各支柱１２の上端１２ａ側には、例えばスチール製の角パイプからなるサポート１９が上下方向Ｔ４に進退自在に挿入して設けられている。サポート１９には、図２に示すように、軸線方向（上下方向Ｔ４）に所定の間隔をあけて複数の係止孔２０が形成され、その上端に圧接板２１が取り付けられている。そして、各サポート１９は、各支柱１２の上端１２ａ側に形成したピン挿入孔２２と、所望の位置の係止孔２０とを連通させて係止ピンを挿入することにより、支柱１２の上端１２ａから上方に延出させる長さを調整して係止（固定）できるように形成されている。
【００２６】
さらに、図１、図２及び図４に示すように、各支柱１２の下端１２ｂ側には、例えばアルミニウム製のジャッキベース２３が取り付けられており、このジャッキベース２３のハンドル２３ａを回転させて上下方向Ｔ４に伸縮させることにより、支柱１２（足場本体部１０、仮設足場装置Ａ）をジャッキアップ、ジャッキダウンさせることができるように形成されている。
【００２７】
そして、このように支柱１２の上端１２ａ側に上下方向Ｔ４に進退するサポート１９、下端１２ｂ側にジャッキベース２３が設けられていることによって、足場本体部１０は上下方向Ｔ４に伸縮自在とされている。
【００２８】
さらに、本実施形態の足場本体部１０には、図１及び図４に示すように、その下端側に自在キャスター（車輪）２４が取り付けられている。これにより、本実施形態の仮設足場装置Ａは、ジャッキベース２３を縮め、自在キャスター２４を着床させることによって走行可能に形成されている。
【００２９】
また、この足場本体部１０には、図１から図４に示すように、支柱１２の上端１２ａ側に設けられた左右方向Ｔ３に沿う一対の水平材１３ａの端部（張出足場部１１が配設される側の端部）側に取り付けて、回動軸（ヒンジ）２５が設けられている。この回動軸２５は、回動軸線Ｏ１が水平方向の前後方向Ｔ２に延びるようにして配設されている。
【００３０】
一方、張出足場部１１は、図１から図３に示すように、例えばアルミニウム製の角パイプの縦材２６と横材２７と筋交２８とを繋ぎ合わせて形成されている。また、下端側に足場板２９が設置され、一側面を除いた三側面に例えばアルミニウム製の側板３０が取り付けられている。これにより、張出足場部１１は、上面及び一側面が開口する略矩形箱状に形成されている。
【００３１】
さらに、張出足場部１１には、互いに対向する下端側の一対の横材２７ａ（２７）にそれぞれ、横材２７ａに沿ってビーム材（係止手段）３１が一体に取り付けられている。また、ビーム材３１は、開口する一側面側の横材２７ａの端部よりも外側に延出して設けられている。
【００３２】
そして、張出足場部１１は、開口する一側面が足場本体部１０の手摺り部材１８を設けていない一側面に対向するようにし、下端側の横材２７を回動軸２５に繋げて設けられている。このようにして、張出足場部１１は、図４に示すように、回動軸２５の回動軸線Ｏ１回りに回動可能に足場本体部１０に繋げて設けられている。
【００３３】
また、張出足場部１１は、図５に示すように、回動軸線Ｏ１回りに回動して側面（縦材２６）が足場本体部１０の足場板１５に当接した状態で、足場本体部１０の内方に納まるように形成されている。本実施形態において、このように張出足場部１１を足場本体部１０の内方に格納した状態が張出足場部１１の初期位置とされ、仮設足場装置Ａは、張出足場部１１を初期位置に配設するとともにサポート１９とベースジャッキ２３を縮めることによってコンパクトになるように形成されている。
【００３４】
また、図１から図４に示すように、初期位置の張出足場部１１を回動軸線Ｏ１回りに回動して、横材２７が水平となり足場本体部１０から外側に張出した状態が張出足場部１１の所定の張出位置とされる。そして、張出足場部１１は、所定の張出位置に配設された状態で、その足場板２９の足場面が足場本体部１０の足場板１５の足場面と同一水平面上に配されるように設けられている。さらに、張出足場部１１は、所定の張出位置に配設された状態でビーム材３１が足場本体部１０の支柱１２の上端１２ａ側に設けられた水平材１３ｂに当接し、このビーム材３１によって所定の張出位置で係止（固定）される。
【００３５】
また、上記のように足場本体部１０と張出足場部１１の主要部材が例えばアルミニウム製であることにより、本実施形態の仮設足場装置Ａは軽量化が図られている。
【００３６】
ついで、上記構成からなる仮設足場装置Ａを用いてベランダ２の外部に対し補修作業を行なう方法について説明するとともに、本実施形態の仮設足場装置Ａの作用及び効果について説明する。
【００３７】
本実施形態の仮設足場装置Ａを用いてベランダ２の補修作業を行う際には、張出足場部１１を初期位置に配して足場本体部１０の内方に格納してコンパクトにした状態の足場仮設装置Ａを、作業対象部Ｓのベランダ２ａがある階（上階）の直下の階（下階）のベランダに運ぶ。
【００３８】
このとき、仮設足場装置Ａが足場本体部１０の内方に張出足場部１１を格納してコンパクトになっているため、例えば建物１のエレベータを使用したり、扉や窓の開口を通じて下階のベランダ２ｂに移動することができる。また、足場本体部１０と張出足場部１１の主要部材を例えばアルミニウム製として仮設足場装置Ａが軽量化されているため、作業者Ｍによって仮設足場装置Ａの移動作業が容易に行える。さらに、足場本体部１０の下端側に自在キャスター２４が設けられているため、確実に仮設足場装置Ａの移動作業が容易に行える。
【００３９】
そして、仮設足場装置Ａの左右方向Ｔ３をベランダ２の張出方向Ｔ１に合わせ、且つ足場本体部１０の手摺り部材１８を設けていない一側面（張出足場部が張出す側）をベランダの張出方向Ｔ１に向ける。このようにして仮設足場装置Ａを上下一対のベランダ２ａ、２ｂの間の所定位置に配置した段階で、足場本体部１０のサポート１９を上階のベランダ２ａの下面と下階のベランダ２ｂの床面の間隔に応じた長さとなるように各支柱１２から引き出す。これとともに、支柱１２のピン挿通孔２２とサポート１９の係止孔２０に係止ピンを挿入して各サポート１９を係止する。
【００４０】
ついで、ジャッキベース２３のハンドル２３ａを回転してジャッキベース２３を伸長させ、足場本体部１０をジャッキアップし、サポート１９の上端に設けた圧接板２１を上階のベランダ２ａの下面に圧接させる。このように足場本体部１０を上下方向に伸長させ、サポート１９の圧接板２１が上階のベランダ２ａの下面に、ジャッキベース２３が下階のベランダ２ｂの床面にそれぞれ圧接して支持されることにより、足場本体部１０（仮設足場装置Ａ）が所定位置で安定的に固定して設置される。そして、足場本体部１０の階段取付用部材１７に階段１６を引っ掛けて取り付ける。なお、足場本体部１０をさらに安定させるために、例えば図１に示すように、足場本体部１０の下端側にウェイトＷを設けるようにしてもよい。
【００４１】
ついで、この状態で上階のベランダ２ａと下階のベランダ２ｂの上下間に配設されている初期位置の張出足場部１１を回動軸線Ｏ１回りに回動して、ベランダ２の外側に張出す所定の張出位置に配設する。このとき、水平方向に延びる回動軸線Ｏ１回りに（上下方向に）張出足場部１１が回動するように構成されているため、さらに、張出足場部１１が軽量であるため、作業者Ｍによって容易に張出足場部１１の回動操作が行える。
【００４２】
また、張出足場部１１を初期位置から回動して所定の張出位置に達するとともに、ビーム材３１が足場本体部１０の水平材１３ａに当接して、張出足場部１１が係止される。このため、作業者Ｍが張出足場部１１をビーム材３１が水平材１３ｂに当接するまで回動させるという簡易な操作で、張出足場部１１がベランダ２の外側に張出す所定の張出位置に設置される。このような簡易な操作で、足場本体部１０の足場板１５の足場面と張出足場部１１の足場板２９の足場面とが同一水平面上の好適な位置で繋がり、作業者Ｍがベランダ２の外側での作業を行うための足場が容易に形成される。
【００４３】
そして、作業者Ｍが階段１６から足場本体部１０の足場板１５に上がり、さらに張出足場部１１に乗って、上階のベランダ２ａの補修作業を行う。このとき、足場本体部１０が上階のベランダ２ａと下階のベランダ２ｂに圧接支持されて安定的に設置されている。このため、張出足場部１１内の作業者の安全を確保した状態で補修作業が行われる。
【００４４】
仮設足場装置Ａを設置した部分の作業対象部Ｓの補修作業を終え、同じベランダ２ａの他の作業対象部Ｓの補修作業を行う場合には、ジャッキベース２３のハンドル２３ａを回転してジャッキベース２３を縮め、足場本体部１０をジャッキダウンさせるとともに自在キャスター２４を下階のベランダ２ｂの床面に着床させる。これにより、サポート１９による上階のベランダ２ａの下面への圧接状態及びジャッキベース２３による下階のベランダ２ｂの床面への圧接状態が解除される。また、係止ピンを取り外してサポート１９を支柱１２に挿入する。
【００４５】
このようにして足場本体部１０の固定を解除した段階で、他の補修対象部Ｓに対して作業を行える所定位置まで仮設足場装置Ａを移動する。このとき、仮設足場装置Ａが軽量であるため、また、自在キャスター２４によって走行可能に形成されているため、所定位置への仮設足場装置Ａの移動作業が容易に行える。さらに、仮設足場装置Ａを移動する際に、張出した状態の張出足場部１１が建物１に設置された部材などに衝突するおそれがある場合には、張出足場部１１を回動して所定の張出位置から初期位置に戻す。このような簡易な操作で建物１に設置された部材などへの衝突が容易に回避される。
【００４６】
一方、仮設足場装置Ａを設置した部分の作業対象部Ｓの補修作業を終え、他の階のベランダ２の作業対象部Ｓの補修作業を行う場合には、上記と同様にジャッキベース２３とサポート１９を縮めて足場本体部１０を縮め、所定の張出位置から初期位置に張出足場部１１を回動して戻す。このような簡易な操作で仮設足場装置Ａが足場本体部１０の内方に張出足場部１１を格納したコンパクトな状態に戻るため、例えば建物１のエレベータを使用したり、扉や窓の開口を通じて他の階のベランダ２に移動することができる。
【００４７】
また、仮設足場装置Ａがコンパクトになるとともに軽量であるため、例えば図１に示すように、ベランダ２に取り付けたホイスト３２などを用いてベランダ２の張出方向Ｔ１外側に吊り出し、この建物１の外側から新たに補修作業を行う階の直下の階のベランダ２に搬送することも可能である。
【００４８】
そして、他の補修対象部Ｓに対して作業を行える所定位置まで仮設足場装置Ａを移動するとともに、上記と同様に、足場本体部１０の固定設置操作や張出足場部１１の回動操作を行うことで、ベランダ２の張出方向Ｔ１外側に張出した足場が容易に形成され、作業者Ｍが張出足場部１１に乗って安全を確保した状態で補修作業が行われることになる。
【００４９】
したがって、本実施形態の仮設足場装置Ａにおいては、下階のベランダ２ｂに仮設足場装置Ａを配置するとともにサポート１９とジャッキベース２３（足場本体部１１）を伸長して、足場本体部１１の下端側を下階のベランダ２ｂに、上端側を上階のベランダ２ａにそれぞれ圧接支持させることができる。これにより、足場本体部１０（仮設足場装置Ａ）を上下一対のベランダ２ａ、２ｂの間に容易に固定して設置することが可能になる。
【００５０】
そして、この状態で一対のベランダ２ａ、２ｂの間に配設されている初期位置の張出足場部１１を回動するという簡易な操作で、ベランダ２の外側に張出す所定の張出位置に張出足場部１１を配設することが可能になる。これにより、作業者Ｍがベランダ２の外側での作業を行うための足場（張出足場部１１）を簡単に設けることが可能になる。
【００５１】
また、張出足場部１１を回動して所定の張出位置から初期位置に戻し、足場本体部１０を縮めて一対のベランダ２ａ、２ｂに対する圧接状態を解除することによって、仮設足場装置Ａを容易に移動させることが可能になる。
【００５２】
よって、本実施形態の仮設足場装置Ａによれば、容易に設置と移動を行うことが可能になるため、ベランダ２の外部の補修作業に、ベランダ２の所望の位置に順次移動と設置を繰り返して柔軟に対応することが可能になる。
【００５３】
また、本実施形態の仮設足場装置Ａにおいては、張出足場部１１が水平方向に延びる回動軸線Ｏ１回りに回動するように足場本体部１０に繋げられているため、確実に簡易な操作で初期位置から所定の張出位置に張出足場部１１を回動して作業者Ｍがベランダ２の外側での作業を行うための足場を設けることができる。また、所定の張出位置から初期位置に張出足場部１１を簡易な操作で戻すことができる。
【００５４】
さらに、初期位置に配された状態で張出足場部１１が足場本体部１０の内方に納まるため、仮設足場装置Ａをコンパクトにすることが可能になる。これにより、仮設足場装置Ａの移動作業を容易に行うことが可能になる。
【００５５】
また、張出足場部１１が初期位置から回動して所定の張出位置に配されるとともに、張出足場部１１を係止するビーム材３１が設けられているため、より容易に作業者Ｍがベランダ２の外側での作業を行うための足場を設けることが可能になるとともに、安定した足場を形成することが可能になる。
【００５６】
また、足場本体部１０に自在キャスター２４が設けられて、仮設足場装置Ａが走行可能に形成されているため、仮設足場装置Ａの移動作業をさらに容易に行うことが可能になる。
【００５７】
以上、本発明に係る仮設足場装置の一実施形態について説明したが、本発明は上記の一実施形態に限定されるものではなく、その趣旨を逸脱しない範囲で適宜変更可能である。例えば、本実施形態では、張出足場部１１が水平方向に延びる回動軸２５に繋がり、この回動軸２５を介して水平方向に延びる回動軸線Ｏ１回りに回動可能に足場本体部１０に繋げて設けられているものとしたが、張出足場部１１は、上下方向Ｔ４に延びる回動軸線回りに回動可能に足場本体部１０に繋げて設けられていてもよい。すなわち、張出足場部１１は上下方向ではなく水平方向に回動するように設けられていてもよい。この場合においても、初期位置から水平方向に回動させて、図１に示す所定の張出位置に張出足場部１１を配設することが可能であるため、本実施形態と同様の効果を得ることが可能である。
【００５８】
また、本実施形態では、張出足場部１１が初期位置で足場本体部１０の内方に納まるように仮設足場装置Ａが構成されているものとしたが、本発明の仮設足場装置は、張出足場部１１が足場本体部１０に回動可能に繋げられていればよく、必ずしも初期位置の張出足場部１１が足場本体部１０に格納されるように構成されていなくてもよい。
【００５９】
さらに、本実施形態では、本発明の仮設足場装置を建物１のベランダ２の補修作業に用いるものとして説明を行ったが、本発明の仮設足場装置は、躯体本体から外側に張出した上下一対の張出躯体の間に設置してこの張出躯体の外部での作業に好適に使用されるものであるため、上下一対の張出躯体を備える構造物であれば、あらゆる構造物に適用可能である。また、必ずしも補修作業に限定しなくてもよい。
【図面の簡単な説明】
【００６０】
【図１】本発明の一実施形態に係る仮設足場装置を示す図であり、仮設足場装置を上下のベランダの間に設置した状態を示す図である。
【図２】図１のＸ１−Ｘ１線矢視図である。
【図３】図１のＸ２−Ｘ２線矢視図である。
【図４】本発明の一実施形態に係る仮設足場装置を示す図であり、足場本体部の上下方向の伸縮状態、張出足場部の回動状態を示す図である。
【図５】本発明の一実施形態に係る仮設足場装置を示す図であり、足場本体部を縮め、張出足場部を初期位置に配した状態を示す図である。
【図６】従来の足場設備（枠組足場）を示す図である。
【図７】従来の足場設備（ゴンドラ）を示す図である。
【図８】従来の足場設備（単管足場）を示す図である。
【符号の説明】
【００６１】
１      建物
１ａ    建物本体（躯体本体）
２      ベランダ（張出躯体）
２ａ    上階のベランダ（上方の張出躯体）
２ｂ    下階のベランダ（下方の張出躯体）
１０    足場本体部
１１    張出足場部
１２    支柱
１３    水平材
１４    筋交
１５    足場板
１６    階段
１７    階段取付用部材
１８    手摺り部材
１９    サポート
２０    係止孔
２１    圧接板
２２    ピン挿通孔
２３    ベースジャッキ
２３ａ  ハンドル
２４    自在キャスター（車輪）
２５    回動軸
２６    縦材
２７    横材
２８    筋交
２９    足場板
３０    側板
３１    ビーム材（係止手段）
Ａ      仮設足場装置
Ｍ      作業者
Ｏ１    回動軸線
Ｓ      作業対象部
Ｔ１    張出方向
Ｔ２    前後方向（水平方向）
Ｔ３    左右方向（水平方向）
Ｔ４    上下方向
Ｗ      ウェイト
【図１】
2010150756.tif 000003
【図２】
2010150756.tif 000004
【図３】
2010150756.tif 000005
【図４】
2010150756.tif 000006
【図５】
2010150756.tif 000007
【図６】
2010150756.tif 000008
【図７】
2010150756.tif 000009
【図８】
2010150756.tif 000010